(57)【特許請求の範囲】
【請求項１】
金属製の仕切り前板であって、縦仕切り前板と横仕切り前板とを有し、縦仕切り前板と横仕切り前板とが冷蔵庫の庫内を仕切る箱体側仕切り部材の前面にＴ字状に直交するように取り付けられる仕切り前板の取付構造において、
前記横仕切り前板に設けられ、前記縦仕切り前板の少なくとも一方の端部が嵌合する切欠き部と、
前記縦仕切り前板の前記端部に設けられた屈曲片と、
前記箱体側仕切り部材に設けられ、前記屈曲片を挿入する挿入口と、
を備え、
前記縦仕切り前板および前記横仕切り前板がそれぞれ独立に前記箱体側仕切り部材にネジ締結されることを特徴とする冷蔵庫の庫内仕切り前板の取付構造。
【請求項２】
金属製の仕切り前板であって、縦仕切り前板と横仕切り前板とを有し、縦仕切り前板と横仕切り前板とが冷蔵庫の庫内を仕切る箱体側仕切り部材の前面にＴ字状に直交するように取り付けられる仕切り前板の取付構造において、
前記横仕切り前板に設けられ、前記縦仕切り前板の少なくとも一方の端部が嵌合する切欠き部と、
前記縦仕切り前板の前記端部に設けられた屈曲片と、
前記箱体側仕切り部材に設けられ、前記屈曲片を挿入する挿入口と、
前記屈曲片に設けられた係合穴と、
前記挿入口内に設けられた爪と、を備え、
前記縦仕切り前板と前記横仕切り前板とを前記箱体側仕切り部材の前面に取り付ける際、前記爪が前記係合穴に係合し、前記横仕切り前板のみが前記箱体側仕切り部材にネジ締結されることを特徴とする冷蔵庫の庫内仕切り前板の取付構造。
【請求項３】
前記屈曲片の根元部に設けられた座面と、
前記切欠き部に設けられた横方向フランジ部と、を備え、
前記縦仕切り前板と前記横仕切り前板とを前記箱体側仕切り部材の前面に取り付ける際、前記切欠き部の横方向フランジ部と前記屈曲片の座面とが当接することを特徴とする請求項１または請求項２に記載の冷蔵庫の庫内仕切り前板の取付構造。
【請求項４】
前記縦仕切り前板と交差する前記横仕切り前板の交差部にネジ挿通穴以外の追加形状を施したことを特徴とする請求項１〜３のいずれか１項に記載の冷蔵庫の庫内仕切り前板の取付構造。
【請求項５】
請求項１〜４のいずれか１項に記載の庫内仕切り前板の取付構造を備えたことを特徴とする冷蔵庫。
【発明の詳細な説明】
【技術分野】
【０００１】
本発明は、冷蔵庫の庫内仕切り前板の取付構造およびこの取付構造を備えた冷蔵庫に関し、特に、冷蔵庫の庫内仕切り壁に対してＴ字状に直交して取り付ける縦および横の仕切り前板の取付構造に関するものである。
【背景技術】
【０００２】
冷蔵庫は、例えば特許文献１に示されるように、内箱と外箱との間に断熱材が充填されたキャビネットを備えており、さらに冷蔵庫の庫内は仕切り壁により複数の部屋（例えば、冷蔵室、冷凍室、製氷室、切替室、野菜室等）に区画されている。そして、冷蔵空間と冷凍空間とを仕切る仕切り壁の前面側には、横方向の仕切り体として、合成樹脂製の仕切りカバーと金属製の前板とが設けられている。この仕切り体はコの字状の断面となっており、その内部には断熱材および冷凍サイクルの一部である防露パイプが装填されている。さらに、縦仕切りとして、縦仕切り体と縦仕切り壁とが上記の仕切り体および仕切り壁にそれぞれ連結され、冷凍空間を製氷室と切替室とに仕切る構成となっている。
【０００３】
一方、従来の庫内仕切り前板の取付構造に使用される縦仕切り前板１１および横仕切り前板１２の構成を図５に示す。従来の縦仕切り前板１１および横仕切り前板１２は、いずれも板金製からなるものであり、フランジ部を備えたコの字状の断面に形成されている。さらに、横仕切り前板１２の下部フランジ部１２ａには切欠き部１２ｂと舌状に垂れ下がった取付片１２ｃが設けられている。そして、縦仕切り前板１１が横仕切り前板１２の切欠き部１２ｂに挿入され、取付片１２ｃに設けられたネジ挿通穴１２ｄと縦仕切り前板１１に設けられたネジ挿通穴１１ａとを介して冷蔵庫の仕切り壁の外殻部材である箱体側仕切り部材（図示せず）のネジ穴に、縦仕切り前板１１と横仕切り前板１２とがＴ字状に直交するようにネジの共締めにより締結固定している。
【先行技術文献】
【特許文献】
【０００４】
【特許文献１】特開２００２−９００４７号公報
【発明の概要】
【発明が解決しようとする課題】
【０００５】
上記特許文献１では、仕切り壁の前板である仕切り体（横仕切り前板）の仕切り壁への取付構造について開示するものであり、しかも、この仕切り体（横仕切り前板）は合成樹脂製の仕切りカバーと金属製の前板とから構成されており、前板を断熱材および仕切りカバーを介して仕切り壁の前面にネジの共締めにより取り付ける構造となっている。そのため、Ｔ字状に直交する縦仕切り体（縦仕切り前板）と横仕切り体（横仕切り前板）とを仕切り壁の前面に取り付ける取付構造については具体的に開示されていない。
【０００６】
一方、図５の従来例のように、高級感や強度を出す目的から金属製、特に板金加工で横仕切り前板と縦仕切り前板を製作することが行われている。この場合、部品点数削減と作業性効率化から、横仕切り前板側にネジ共締め固定用の舌状の取付片１２ｃを設けている。この場合、取付片１２ｃの長さＡがフランジ部１２ａの長さＢより長いため、材料の切り落とし量が多く無駄が大きいため、歩留まりが悪いといった問題があった。
【０００７】
本発明は、上記のような課題を解決するためになされたものであり、仕切り前板（縦仕切り前板および横仕切り前板の総称）の歩留まりを向上することができる冷蔵庫の庫内仕切り前板の取付構造を得ることを目的とする。
【課題を解決するための手段】
【０００８】
本発明に係る冷蔵庫の庫内仕切り前板の取付構造は、金属製の仕切り前板であって、縦仕切り前板と横仕切り前板とを有し、縦仕切り前板と横仕切り前板とが冷蔵庫の庫内を仕切る箱体側仕切り部材の前面にＴ字状に直交するように取り付けられる仕切り前板の取付構造において、前記横仕切り前板に設けられ、前記縦仕切り前板の少なくとも一方の端部が嵌合する切欠き部と、前記縦仕切り前板の前記端部に設けられた屈曲片と、前記箱体側仕切り部材に設けられ、前記屈曲片を挿入する挿入口と、を備え、前記縦仕切り前板および前記横仕切り前板がそれぞれ独立に前記箱体側仕切り部材にネジ締結されることを特徴とするものである。
【発明の効果】
【０００９】
上記の構成によれば、横仕切り前板は、切欠き部のみを有し、従来のような舌状の取付片を廃止し、縦仕切り前板は、少なくとも一方の端部が切欠き部に嵌合されるとともに、箱体側仕切り部材の挿入口に挿入される屈曲片を当該端部に有し、縦仕切り前板および横仕切り前板がそれぞれ独立に箱体側仕切り部材にネジ締結される構成であるので、全体として仕切り前板の歩留まりが向上するという効果を有する。
【図面の簡単な説明】
【００１０】
【図１】本発明の実施の形態１における冷蔵庫の庫内仕切り前板の取付構造に使用する仕切り前板の背面斜視図である。
【図２】本発明の実施の形態１における冷蔵庫の庫内仕切り前板の取付構造の分解正面斜視図である。
【図３】本発明の実施の形態２における冷蔵庫の庫内仕切り前板の取付構造に使用する仕切り前板の正面斜視図である。
【図４】本発明の実施の形態３における冷蔵庫の庫内仕切り前板の取付構造の分解正面斜視図である。
【図５】従来の仕切り前板の背面斜視図である。
【発明を実施するための形態】
【００１１】
以下、本発明の実施の形態を図面に基づいて説明する。なお、簡単のため庫内仕切り壁の内部構造については図示を省略し、Ｔ字状に直交する仕切り前板と冷蔵庫の箱体側仕切り部材との取付構造について示すものとする。
【００１２】
実施の形態１．
図１は、本発明の実施の形態１における冷蔵庫の庫内仕切り前板の取付構造に使用する仕切り前板を背面側から見た斜視図を示し、図２は、この仕切り前板と冷蔵庫の仕切り壁の外殻部材である箱体側仕切りとの取付構造を正面側から見た分解斜視図を示している。以下では、冷蔵庫の開口部に対して前面を「正面」といい、前面の裏面を「背面」というものとする。
【００１３】
図１および図２に示すように、この仕切り前板は、金属製、特に板金製であり、縦仕切り前板１と横仕切り前板２とを有する。縦仕切り前板１は、コの字状の断面に形成され、ウェブ１ａの背面の左右端部にフランジ部１ｂを有する。縦仕切り前板１の一方の端部には、背面側に向かってＬ字状に屈曲された屈曲片１ｃが形成されている。屈曲片１ｃの根元は、縦仕切り前板１の一方の端部から延出されたウェブ座面１ｄに接続されている。このウェブ座面１ｄの作用については後で詳しく説明する。また、縦仕切り前板１のウェブ１ａの所定位置にはネジ４ａを挿通するネジ挿通穴１ｅが設けられている。
なお、縦仕切り前板１の他方の端部は図示を省略しているが、上記と同様の構成でも良いし、他のネジ固定手段でも良い。少なくとも縦仕切り前板１の一方の端部に上記の屈曲片１ｃ、ウェブ座面１ｄ、およびネジ挿通穴１ｅを設ける構成とする。
【００１４】
横仕切り前板２は、コの字状の断面に形成され、ウェブ２ａの背面の上下端部にフランジ部２ｂを有する。そして、横仕切り前板２の一方のフランジ部（ここでは、下部フランジ部２ｂ）の所定位置に、縦仕切り前板１の少なくとも一方の端部が嵌合する切欠き部２ｃが形成され、この切欠き部２ｃは横方向フランジ部２ｄを備えている。また、横仕切り前板２のウェブ２ａの所定位置にはネジ４ｂを挿通するネジ挿通穴２ｅが設けられている。
【００１５】
図２において、冷蔵庫キャビネットの内箱には所望の仕切り壁を構成する合成樹脂製の箱体側仕切り部材３が該内箱と一体に形成されている。この箱体側仕切り部材３の前面にはウェブ３ａがＴ字状に形成されており、Ｔ字状のウェブ３ａの周辺すなわち上下左右の端部にはフランジ部３ｂが形成され、このフランジ部３ｂは仕切り壁の壁面と同一方向に延びて形成されている。そして、この箱体側仕切り部材３のウェブ３ａには、上記の縦仕切り前板１の屈曲片１ｃが挿入する角穴からなる挿入口３ｃが形成されている。また、ウェブ３ａの所定位置には、上記のネジ挿通穴１ｅ、２ｅにそれぞれ対応するネジ締結固定用ボス３ｄ、３ｅが形成されており、各ボス３ｄ、３ｅにはネジ４ａ、４ｂが締結されるネジ穴が設けられている。
【００１６】
次に、上記のように構成された縦仕切り前板１および横仕切り前板２の箱体側仕切り部材３への取付について、図２を参照しながら説明する。
まずはじめに、縦仕切り前板１の屈曲片１ｃを箱体側仕切り部材３の挿入口３ｃに挿入し、縦仕切り前板１を箱体側仕切り部材３の前面に位置決めし仮固定する。
次に、ネジ４ａをネジ挿通穴１ｅに通して箱体側仕切り部材３のボス３ｄのネジ穴に締結し、縦仕切り前板１を箱体側仕切り部材３の前面に本固定する。
次に、本固定された縦仕切り前板１の端部に横仕切り前板２の切欠き部２ｃを上から嵌め込み、屈曲片１ｃの根元のウェブ座面１ｄに切欠き部２ｃの横方向フランジ部２ｄを当接させる。これにより、横仕切り前板２は上下および前後方向にぐらつくことなく、水平に位置決めされる。
その後、ネジ４ｂをネジ挿通穴２ｅに通して箱体側仕切り部材３のボス３ｅのネジ穴に締結し、横仕切り前板２を箱体側仕切り部材３の前面に本固定する。
以上により、縦仕切り前板１と横仕切り前板２とがＴ字状に直交して箱体側仕切り部材３の前面に確固として固定される。
【００１７】
なお、図示は省略するが、縦仕切り前板１および横仕切り前板２を箱体側仕切り部材３にネジ締結する前に、横仕切り前板２と箱体側仕切り部材３との間には、前出の特許文献１のように断熱材および防露パイプが内装され、縦仕切り前板１と箱体側仕切り部材３との間には、断熱材が内装される。また、箱体側仕切り部材３の後方に延びる対向するフランジ部の間にも断熱材が充填されている。
【００１８】
実施の形態１の冷蔵庫の庫内仕切り前板の取付構造は、上記のように構成され作用をするので、以下に示すような効果がある。
（１）横仕切り前板２は、切欠き部２ｃの中に従来のようなネジ共締め固定用の舌状の取付片を有しないので、横仕切り前板２の板材料の使用量を削減することができる。また、縦仕切り前板１については、そのウェブ端部に屈曲片１ｃを折り曲げ成形するので、その分板材料の使用量は増加するが、従来の横仕切り前板に比べれば僅かな増加である。
したがって、総じて仕切り前板の歩留まりを向上させることができる。
（２）屈曲片１ｃを箱体側仕切り部材３の挿入口３ｃに挿入することで、縦仕切り前板１を箱体側仕切り部材３の前面に位置決めし仮固定できるので、縦仕切り前板１の取付が容易である。
（３）屈曲片１ｃの根元のウェブ座面１ｄと切欠き部２ｃの横方向フランジ部２ｄとが面接触で当接することにより、横仕切り前板２のぐらつきを抑制できるので、横仕切り前板２の取付が容易である。
（４）縦仕切り前板１と横仕切り前板２は、それぞれ独立に箱体側仕切り部材３に取り付けられるので、仕切り前板の取付作業を簡単に行うことができる。
【００１９】
実施の形態２．
図３は、本発明の実施の形態２における冷蔵庫の庫内仕切り前板の取付構造に使用する仕切り前板を正面側から見た斜視図である。
この実施の形態２では、縦仕切り前板１は、上述の実施の形態１と同一の構成となっている。横仕切り前板２には、Ｔ字状に直交する縦仕切り前板１との交差部に、別の用途のための開口部２ｆ等、例えばドアスイッチ収納用の穴を設けている。その他の構成は実施の形態１と同様である。
【００２０】
この実施の形態２の縦仕切り前板１および横仕切り前板２の図示しない箱体側仕切り部材への取付については実施の形態１と同様に行われる。
【００２１】
ところで、図５の従来例において、舌状の取付片１２ｃを横仕切り前板１２側に設ける代わりに、縦仕切り前板１１のウェブ端部に上方へ突出するように設けた場合は、歩留まりの改善が可能になるけれども、横仕切り前板１２の縦仕切り前板１１との交差部に開口部等を設けることはできなくなる。
【００２２】
一方、実施の形態２では、縦仕切り前板１が上述のようにウェブ端部にＬ字状に折り曲げられた屈曲片１ｃを有する構成となっているので、横仕切り前板２の縦仕切り前板１との交差部に別の用途の開口部２ｆ等を設けても取付に何ら支障はない。
【００２３】
したがって、実施の形態２によれば、実施の形態１と同様の効果を有することに加えて、横仕切り前板２を別の用途にも利用することが可能となり、冷蔵庫仕様選択の自由度が向上するという効果がある。
【００２４】
実施の形態３．
図４は、本発明の実施の形態３における冷蔵庫の庫内仕切り前板の取付構造を正面側から見た分解斜視図である。
この実施の形態３では、縦仕切り前板１の屈曲片１ｃに角穴からなる係合穴１ｆを設けるとともに、箱体側仕切り部材３の挿入口３ｃ内に係合穴１ｆと係合する爪３ｆを設けたものである。また、締結用のネジは横仕切り前板２側のネジ４ｂのみとし、図２に示す縦仕切り前板１側のネジ４ａおよび箱体側仕切り部材３側のボス３ｅは省いた構成とするものである。その他の構成は実施の形態１および２と同様である。
【００２５】
この実施の形態３では、上述したように、屈曲片１ｃを挿入口３ｃに挿入することで、縦仕切り前板１を箱体側仕切り部材３の前面に取り付ける。その際、挿入口３ｃ内には爪３ｆが設けられ、屈曲片１ｃには爪３ｆが係合する係合穴１ｆが設けられているので、爪３ｆが係合穴１ｆに係合することで、縦仕切り前板１の位置決めと仮固定が可能となる。
そのあとは、縦仕切り前板１の端部に横仕切り前板２の切欠き部２ｃを上から嵌め込み、ネジ４ｂにより箱体側仕切り部材３のボス３ｅのネジ穴に締結することにより、横仕切り前板２を箱体側仕切り部材３の前面に固定することができる。また、その際、屈曲片１ｃの根元のウェブ座面１ｄと切欠き部２ｃの横方向フランジ部２ｄとが画面接触で当接しているため、縦仕切り前板１および横仕切り前板２のぐらつきを抑制することができる。
【００２６】
したがって、実施の形態３によれば、１本のネジ４ｂで縦仕切り前板１と横仕切り前板２とを箱体側仕切り部材３の前面にＴ字状に直交して取り付けることができ、取付が簡単で、共締めと同様の効果がある。また、実施の形態１と同様の効果を有することはいうまでもない。
【００２７】
以上の実施の形態１〜３において、縦仕切り前板１および横仕切り前板２は共にフランジ部を有する板金製として説明したが、板金製に限らず金属製であればよい。例えば、鉄やアルミ等からなる溝形部材を用いてプレス加工しても良い。
【符号の説明】
【００２８】
１  縦仕切り前板、１ａ  ウェブ、１ｂ  フランジ部、１ｃ  屈曲片、１ｄ  ウェブ座面、１ｅ  ネジ挿通穴、１ｆ  係合穴、２  横仕切り前板、２ａ  ウェブ、２ｂ  フランジ部、２ｃ  切欠き部、２ｄ  横方向フランジ部、２ｅ  ネジ挿通穴、２ｆ  開口部、３  箱体側仕切り部材、３ａ  ウェブ、３ｂ  フランジ部、３ｃ  挿入口、３ｄ、３ｅ  ネジ締結固定用ボス、３ｆ  爪、４ａ、４ｂ  ネジ。
【図１】
0005558438.tif 000002
【図２】
0005558438.tif 000003
【図３】
0005558438.tif 000004
【図４】
0005558438.tif 000005
【図５】
0005558438.tif 000006